(57)【特許請求の範囲】
【請求項１】
基板に半田を印刷する印刷装置による印刷条件を決定する方法であって、
印刷装置のタクトと印刷の品質とに影響を与える複数の印刷条件について、印刷条件ごとに予め定められた最低の品質を維持できる境界を示す品質境界値を超えない範囲で、前記タクトが小さくなるように、前記複数の印刷条件のうち、印刷の品質を最も優先している印刷条件を優先して印刷条件を順次変更していく印刷条件変更ステップを含み、
前記印刷条件変更ステップは、
前記複数の印刷条件の中から、印刷の品質を最も優先している１つの印刷条件を選択する選択ステップと、
選択された印刷条件を前記タクトが小さくなる値に変更する変更ステップと、
変更された印刷条件におけるタクトを計算する計算ステップと、
計算されたタクトが予め定められたタクトより大きいか否かを判断する判断ステップとを含み、
前記判断ステップで計算されたタクトが予め定められたタクトより大きいと判断された場合には、前記選択ステップでの選択、前記変更ステップでの変更、前記計算ステップでの計算及び前記判断ステップでの判断が繰り返される
ことを特徴とする印刷条件決定方法。
【請求項２】
前記印刷条件決定方法はさらに、前記印刷装置が含まれる生産ラインを構成する全ての部品実装装置のタクトを取得する取得ステップと、
取得したタクトの中で前記印刷装置のタクトが最大であるか否かを判定する判定ステップとを含み、
前記判定ステップで前記印刷装置のタクトが最大であると判定された場合にのみ、前記印刷条件変更ステップでの変更が行われ、
前記判断ステップでは、前記取得ステップで取得されたタクトの中で前記印刷装置以外のタクトを前記予め定められたタクトとして、前記判断をする
ことを特徴とする請求項１記載の印刷条件決定方法。
【請求項３】
前記印刷装置は、開口部を設けたマスクの下面に基板を当接させ、スキージを移動させることにより前記開口部を介して基板にクリーム状の半田を印刷する装置であって、
前記複数の印刷条件には、前記スキージの移動速度、前記スキージの移動中の停止回数、前記基板と前記マスクを離す速度及び前記マスクに残留したクリーム状の半田をクリーニングする速度のうち少なくとも１つが含まれる
ことを特徴とする請求項１又は２に記載の印刷条件決定方法。
【請求項４】
基板に半田を印刷する印刷装置による印刷条件を決定するためのプログラムであって、
請求項１〜３のいずれか１項に記載の印刷条件決定方法に含まれるステップをコンピュータに実行させる
ことを特徴とするプログラム。
【発明の詳細な説明】
【技術分野】
【０００１】
本発明は、基板に半田を印刷する印刷装置による印刷条件を決定する方法等に関するものである。
【背景技術】
【０００２】
部品をプリント配線基板等の基板に実装する部品実装ラインでは、ライン全体でのスループットを向上させるため、ラインを構成する印刷装置、部品装着装置、接着剤塗布装置、リフロー装置、検査装置等のタクト（処理時間）の平準化と短縮化を行うことが求められる。つまり、ラインタクト（ラインを構成する装置毎のタクトのうち、最大のタクト）の最小化が要求される。
【０００３】
そこで、部品実装ラインを主として構成する部品装着装置においては、部品供給部の部品配列、吸着順序、装着順序等のタクトに影響を及ぼす要素が多いことを利用して、各部品装着装置間の負荷のバランスを考慮しながら、ラインタクトの短縮を実現する方法が提案されている。
【０００４】
ところが、上記方法等により部品装着装置のタクト短縮が進むと、部品装着装置以外の装置、例えば、印刷装置のタクトがボトルネックとなってしまうという問題が発生する。
【０００５】
そこで、従来、印刷装置等が部品実装ラインで最大タクトとなった場合において、タクトの平準化を図るための調整方法が提案されている（例えば、特許文献１）。
【０００６】
特許文献１では、図１３に示すように、印刷装置２１０等の部品装着装置２１１以外の装置が部品実装ライン２００において最大タクトとなっている場合に、部品装着装置２１１の装着速度を落とすことにより、最大タクトを超えない範囲で部品装着装置２１１のタクトを大きくする。その結果、ラインタクトを維持したまま部品装着の品質の向上が実現される。
【特許文献１】特許第３４６１５７４号公報
【発明の開示】
【発明が解決しようとする課題】
【０００７】
しかしながら、このような従来のタクトの調整方法では、タクトの平準化は図れるものの、ラインタクトは印刷装置のタクトに支配されており、部品実装ラインのスループットが向上できないという課題がある。
【０００８】
そこで、本発明は、上記課題を解決するためになされたもので、印刷装置のタクトがボトルネックとなっている場合においても、部品実装ラインのスループットを向上させることができる印刷条件決定方法等を提供することを目的とする。
【課題を解決するための手段】
【０００９】
上記目的を達成するために、本発明に係る印刷条件決定方法は、基板に半田を印刷する印刷装置による印刷条件を決定する方法であって、印刷装置のタクト及び印刷の品質に影響を与える複数の印刷条件について、印刷条件ごとに予め定められた最低の品質を維持できる境界を示す品質境界値を超えない範囲で、前記タクトが小さくなるように、前記複数の印刷条件のうち、印刷の品質を最も優先している印刷条件を優先して印刷条件を順次変更していく印刷条件変更ステップを含み、前記印刷条件変更ステップは、前記複数の印刷条件の中から、印刷の品質を最も優先している１つの印刷条件を選択する選択ステップと、選択された印刷条件を前記タクトが小さくなる値に変更する変更ステップと、変更された印刷条件におけるタクトを計算する計算ステップと、計算されたタクトが予め定められたタクトより大きいか否かを判断する判断ステップとを含み、前記判断ステップで計算されたタクトが予め定められたタクトより大きいと判断された場合には、前記選択ステップでの選択、前記変更ステップでの変更、前記計算ステップでの計算及び前記判断ステップでの判断が繰り返されることを特徴とする。
【００１０】
これにより、最低の品質は維持した状態で、印刷装置のタクトを短縮することが可能となり、印刷装置のタクトがボトルネックとなっている場合であっても、部品実装ラインのスループットを向上させることが可能となる。
【００１１】
つまり、処理自体が比較的単純であることから、タクトを短縮することが難しいと考えられる印刷装置において、印刷品質に影響を与える印刷条件を変更することにより、タクトの短縮を実現する。ここで、単にタクトの短縮が可能となるように印刷条件を変更するだけでは、印刷後の基板の品質に問題が発生する。そこで、品質境界値を超えない範囲で印刷条件を変更することで、一定以上の品質を維持したうえでタクトの短縮を実現する。
【００１４】
さらに、印刷品質の低下の度合いを考慮して印刷条件が変更されるため、印刷品質の低下をできる限り抑えたうえで、部品実装ラインのスループットを向上させることが可能となる。
【００１５】
また、前記印刷条件決定方法はさらに、前記印刷装置が含まれる生産ラインを構成する全ての部品実装装置のタクトを取得する取得ステップと、取得したタクトの中で前記印刷装置のタクトが最大であるか否かを判定する判定ステップとを含み、前記判定ステップで前記印刷装置のタクトが最大であると判定された場合にのみ、前記印刷条件変更ステップでの変更が行われ、前記判断ステップでは、前記取得ステップで取得されたタクトの中で前記印刷装置以外のタクトを前記予め定められたタクトとして、前記判断をすることが好ましい。
【００１６】
これにより、部品実装ラインを構成する他の装置のタクトと比較して印刷条件を変更できるので、印刷装置のタクトが部品実装ラインにおいてボトルネックとならない程度まで小さくすることが可能となる。
【００１７】
なお、本発明は、このような印刷条件決定方法に含まれるステップを手段とする印刷装置として実現することもできる。また、印刷条件決定方法に含まれるステップをコンピュータに実行させるプログラムとして実現することもできる。そして、そのようなプログラムは、ＣＤ−ＲＯＭ（Ｃｏｍｐａｃｔ  Ｄｉｓｃ−Ｒｅａｄ  Ｏｎｌｙ  Ｍｅｍｏｒｙ）等の記録媒体やインターネット等の通信ネットワークを介して流通させることができる。
【発明の効果】
【００１８】
本発明により、部品をプリント配線基板等の基板に実装する部品実装ラインにおいて、印刷装置のタクトがボトルネックとなっている場合であっても、部品実装ラインのスループットを向上させることが可能となる。
【発明を実施するための最良の形態】
【００１９】
以下、本発明の実施の形態について図面を用いて詳細に説明する。
図１は、本実施の形態に係る電子部品をプリント配線基板等の基板に実装する部品実装ライン１００の構成を示す図である。この部品実装ラインは、上流側より、印刷装置１１０、接着剤塗布装置１１１、部品装着装置１１２、リフロー装置１１３及び検査装置１１４から構成される。
【００２０】
印刷装置１１０は、電子部品を電気的に接続するとともに機械的に固着するために、基板にクリーム半田等を印刷（塗布）する装置である。
【００２１】
接着剤塗布装置１１１は、比較的大型の電子部品が搬送などの際に基板からずれないように基板上に電子部品を仮接着するための接着剤を必要な部分にのみ塗布する装置である。
【００２２】
部品装着装置１１２は、接着剤塗布装置１１１から搬入されてきた基板に、複数の電子部品を装着する装置である。
【００２３】
リフロー装置１１３は、部品装着装置１１２から搬入されてきた基板に載置された電子部品の半田付け処理を行うために、基板に印刷されたクリーム半田に加熱した気体を送りつける装置である。
【００２４】
検査装置１１４は、リフロー装置１１３から搬入されてきた基板上の部品の実装状態および半田の印刷状態を検査する装置である。
【００２５】
このように、本部品実装ライン１００によれば、印刷装置１１０に投入された基板は、接着剤塗布装置１１１、部品装着装置１１２、リフロー装置１１３、検査装置１１４を順に経由することにより、電子部品が実装される。このようなライン構成においては、直前の装置の作業が終了しないと直後の装置は作業を開始できないので、ライン中に１台でもタクトが長い装置があれば、ライン全体のスループットはその装置のタクトに律速されてしまう。
【００２６】
以下、部品実装ライン１００を構成する印刷装置１１０について、より詳細に説明する。
【００２７】
図２は、印刷装置１１０の平面図である。この印刷装置１１０は、基板１２０にクリーム半田１２１を印刷する装置であり、基板１２０上のランド（クリーム半田１２１を塗布したい場所）に開口部を設けたマスク１２２、マスク１２２上に置かれたクリーム半田１２１をかき寄せるスキージ１２３、印刷後にマスク１２２に残ったクリーム半田１２１を除去するクリーニングロール１２４等から構成される。なお、本図には示されていないが、この印刷装置１１０は、これらの機構部を制御するコントローラとしての制御部等も備える。
【００２８】
図３は、印刷装置１１０の構成を示す機能ブロック図である。この印刷装置１１０は、図２に示されるスキージ１２３、クリーニングロール１２４等からなる機構部１３０、機構部１３０を制御するコンピュータ装置である制御部１３１、操作者とのインターフェースとなるキーボード等の入力部１３２及びＬＣＤ等の出力部１３３から構成される。
【００２９】
制御部１３１は、制御プログラムを格納しているメモリやマイコン等からなり、入力部１３２を介した操作者からの指示によって起動されると、予め設定された印刷条件に従って制御プログラムが機構部１３０を制御することで、順次搬入されてくる基板１２０に対して印刷を行い、下流装置に搬出する。制御部１３１は、さらに、本発明に係る印刷条件を変更する機能であるテーブル記憶部１３４、現在値記憶部１３５、印刷条件変更部１３６を有する。
【００３０】
テーブル記憶部１３４は、メモリ等に対応し、印刷条件テーブル１４０を記憶する手段の一例である。ここで、印刷条件テーブル１４０とは、図４に示されるように、タクト及び印刷の品質に影響を与える複数の印刷条件に対して、複数の設定値とその設定値がタクト及び印刷品質に及ぼす影響の大きさ等を保持する情報テーブルである。印刷条件テーブル１４０は、さらに、各印刷条件に対応して、最低の印刷品質を維持するための限界値である品質境界値やタクト優先による機器寿命の影響度を順位付けした機器寿命優先順位も保持する。
【００３１】
以下に、印刷条件テーブル１４０の項目について説明する。
「印刷条件」は、印刷装置１１０のタクト及び印刷品質に影響を及ぼす各種条件であり、通常メーカーが推奨値として最低の印刷品質を維持するための限界値を提示している。図中に示される各印刷条件の例については、後で詳細を説明する。
【００３２】
「機器寿命優先順位」は、印刷条件に対して、タクトの短縮を優先することで機器寿命に及ぼす影響の大きさで順位付けしたものである。以下で説明する印刷条件の品質優先度が同一であった場合に、「機器寿命優先順位」の設定値が小さい印刷条件を優先的に選択することで、機器の寿命を長期化、つまり機器の劣化を抑制し、品質の悪化の影響を小さくすることができる。
【００３３】
「品質優先度１〜５」は、各印刷条件に対する複数の設定値を、印刷品質が高くなる（タクトが長くなる）順に段階的に並べたもので、一番右側に位置する「品質優先度５」が最も品質を優先したときの設定値である。また、「品質優先度１」が品質境界値を表す。
【００３４】
現在値記憶部１３５は、メモリ等に対応し、印刷条件に関する現在の設定値を記憶する手段の一例である。例えば、図４に示されるような各印刷条件の品質優先度に対応した設定値が保持される。
【００３５】
印刷条件変更部１３６は、メモリやマイコン等によって実現される処理部であり、テーブル記憶部１３４に記憶された印刷条件テーブル１４０と現在値記憶部１３５に記憶された印刷条件の現在値を参照することで、現在よりもタクトが小さくなるように、現在値記憶部に記憶されている複数の印刷条件の設定値を順次変更していく印刷条件変更手段の一例である。
【００３６】
次に、以上のように構成された本実施の形態における印刷装置１１０の基本的な動作について説明する。
【００３７】
図５は、印刷装置１１０による印刷の処理手順を、タクトに影響する処理を中心に示したフローチャートである。
【００３８】
まず、基板１２０が印刷装置１１０に搬入されると（Ｓ５０１）、印刷装置１１０はマスク１２２の下面に基板１２０を密着させる（Ｓ５０２）。次に、印刷装置１１０はスキージ１２３を移動させることにより、マスク１２２に設けられた開口部を介して基板１２０にクリーム半田１２１を印刷する（Ｓ５０３）。印刷が終了すると、印刷装置１１０は基板１２０とマスク１２２を離し（Ｓ５０４）、基板１２０を搬出する（Ｓ５０５）。最後に、印刷装置１１０は、クリーニングロール１２４により、マスク１２２に残ったクリーム半田１２１の除去を行う（Ｓ５０６）。
【００３９】
以上の処理によって、印刷装置１１０に搬入された基板１２０のランドにクリーム半田が印刷されて、次の装置へと搬出される。
【００４０】
図６〜図９は、以上の印刷の処理手順において、図４の印刷条件テーブルに示した印刷条件が、タクトと印刷品質にどのような影響を及ぼすかを具体的に説明した図である。
【００４１】
図６は、図４で示されたスキージ速度１４１を説明する図であり、スキージ１２３を移動させて基板１２０にクリーム半田１２１を印刷するときの、スキージ速度１４１（スキージ１２３の移動速度）がタクト及び品質に及ぼす影響を示している。図６（ａ）に示すように、スキージ速度１４１が低速の場合、マスク１２２に設けられた開口部にクリーム半田１２１が完全に収まり印刷品質は高くなるが、タクトは大きくなる。逆に、図６（ｂ）に示すように、スキージ速度１４１が高速の場合、タクトは小さくなるが、マスク１２２に設けられた開口部にクリーム半田１２１が完全に収まらないため印刷品質は低くなる。
【００４２】
図７は、図４で示されたスキージ多段制御１４２を説明する図であり、スキージ１２３を移動させて基板１２０にクリーム半田１２１を印刷するときの、スキージ多段制御１４２の段数（スキージ１２３の移動中の停止回数）がタクト及び品質に及ぼす影響を示している。図７（ａ）に示すように、スキージ多段制御１４２の段数が多い（図では２段）場合、マスク１２２に設けられた開口部にクリーム半田１２１が完全に収まり印刷品質は高くなるが、タクトは大きくなる。逆に、図７（ｂ）に示すように、スキージ多段制御１４２の段数が少ない（図では１段）場合、タクトは小さくなるが、マスク１２２に設けられた開口部にクリーム半田１２１が完全に収まらないため印刷品質は低くなる。
【００４３】
図８は、図４で示されたクリーニング速度１４３を説明する図であり、マスク１２２に残ったクリーム半田１２１のクリーニングを行うときの、クリーニング速度１４３（クリーニングロール１２４の移動速度）がタクト及び品質に及ぼす影響を示している。図８（ａ）に示すように、クリーニング速度１４３が低速の場合、マスク１２２に設けられた開口部に残ったクリーム半田１２１は完全に除去され印刷品質は高くなるが、タクトは大きくなる。逆に、図８（ｂ）に示すように、クリーニング速度１４３が高速の場合、タクトは小さくなるが、マスク１２２に設けられた開口部にクリーム半田１２１が残り、印刷品質は低くなる。
【００４４】
図９は、図４で示されたマスク離れ速度１４４を説明する図であり、印刷が終了した後に基板１２０とマスク１２２を離すときの、マスク離れ速度１４４（基板１２０とマスク１２２を離す速度）がタクト及び品質に及ぼす影響を示している。図９（ａ）に示すように、マスク離れ速度１４４が低速の場合、マスク１２２に設けられた開口部と同形状のクリーム半田１２１が基板上の残留し印刷品質は高くなるが、タクトは大きくなる。逆に、図９（ｂ）に示すように、マスク離れ速度１４４が高速の場合、タクトは小さくなるが、基板１２０上に印刷されたクリーム半田１２１の形が崩れ、印刷品質は低くなる。
【００４５】
以上のように、印刷装置１１０において印刷を行うときに、タクト及び印刷品質に影響を及ぼす印刷条件は複数存在する。通常、それらの印刷条件は、メーカーが推奨値として最低の印刷品質を維持するための限界値を提示しているが、ユーザーはその限界値よりも品質的に余裕を持った印刷条件を設定して利用していることが多い。
【００４６】
そこで、部品実装ライン１００において印刷装置１１０がボトルネックとなっている場合に、図１０に示すように印刷実行前に品質的に余裕のある印刷条件を変更して、印刷装置１１０のタクトを減少させることで、部品実装ライン１００のボトルネックを解消することが可能となる。
【００４７】
図１０は、部品実装ライン１００のボトルネックを解消するために印刷実行前に印刷装置１１０の印刷条件を変更するときの処理手順を示したフローチャートである。
【００４８】
まず、印刷条件変更部１３６は、部品実装ライン１００を構成する装置（印刷装置１１０、接着剤塗布装置１１１、部品装着装置１１２、リフロー装置１１３、検査装置１１４等）のタクト又はラインタクトを取得する（Ｓ１００１）。ここで、印刷条件変更部１３６は、印刷装置１１０のタクトが最大となっている場合には（Ｓ１００２でＹｅｓ）、印刷装置１１０の次に大きいタクトを要求タクトとして設定し（Ｓ１００３）、印刷装置１１０のタクトが最大となっていない場合には（Ｓ１００２でＮｏ）、処理を終了する。
【００４９】
次に、印刷条件変更部１３６は、現在値記憶部１３５に記憶されている印刷条件に関する現在の設定値を取得し（Ｓ１００４）、テーブル記憶部１３４に記憶されている印刷条件テーブル１４０を参照することで、現在の設定値の中で最も品質優先度が高く、品質境界値よりも高い品質の印刷条件を、変更により品質を低下させる度合いが低い印刷条件として取得する（Ｓ１００５）。
【００５０】
そして、印刷条件変更部１３６は、条件に合致する印刷条件を取得できた場合は（Ｓ１００６でＹｅｓ）、取得した印刷条件が複数でないかの判定を行い（Ｓ１００７）、取得できなかった場合は（Ｓ１００６でＮｏ）、処理を終了する。ここで、取得した印刷条件が複数ある場合には（Ｓ１００７でＹｅｓ）、印刷条件変更部１３６は取得した印刷条件のうち、機器寿命優先順位が最も高い印刷条件を選択し（Ｓ１００８）、取得した印刷条件が複数でない場合には（Ｓ１００７でＮｏ）、そのまま次の処理（Ｓ１００９）へ進む。
【００５１】
そして、印刷条件変更部１３６は、これまでの処理により得られた印刷条件（Ｓ１００７でＮｏの場合はＳ１００６で取得した印刷条件、Ｓ１００７でＹｅｓの場合は、Ｓ１００８で選択した印刷条件）の現在値記憶部１３５に記憶されている現在値を、品質優先度を一つ下げた値に変更する（Ｓ１００９）。そして、印刷条件変更部１３６は、変更された現在値における印刷装置１１０のタクトを計算し（Ｓ１０１０）、計算後の印刷装置１１０のタクトが要求タクトより小さくなるまで、印刷条件の変更処理を繰り返す（Ｓ１０１１）。
【００５２】
以上の処理を、具体例で説明したものが図１１である。はじめは、部品実装ライン１００において、印刷装置１１０のタクト（４０秒）がボトルネックとなっている（Ｓ１１０１）。そこで、印刷装置１１０は、現在値の品質優先度が最も高い印刷条件であるマスク離れ速度１４４を、設定値を変更することにより品質を低下させる度合いが低い印刷条件と考えて、品質優先度を一つ下げた設定値に変更する（Ｓ１１０２）。その結果、印刷装置１１０のタクトは３４秒と小さくなるが、印刷装置１１０がボトルネックであることは解消されていないので、印刷装置１１０は再度品質優先度が最も高いマスク離れ速度１４４の設定値を変更する（Ｓ１１０３）。その結果、印刷装置１１０のタクトは２８秒となり、部品実装ライン１００においてボトルネックではなくなったので、印刷装置１１０は印刷条件の変更処理を終了する。
【００５３】
以上により、印刷装置１１０のタクトが部品実装ライン１００でボトルネックとなっている場合においても、印刷装置１１０のタクトを減少させることにより、ラインタクトを減少させること、すなわち、ライン全体のスループットを向上させることが可能となる。そして、印刷品質の低下の度合いを考慮して最も品質優先度が高い印刷条件を変更するため、印刷品質の低下をできる限り抑えることができる。また、品質境界値を超えない範囲で印刷条件を変更することで、一定以上の印刷品質を保つことも可能となる。
【００５４】
なお、本実施の形態においては、印刷装置の印刷条件を変更することにより、部品実装ラインのスループットの向上を実現したが、部品実装ラインを構成する他の装置に本手法を適用してもよい。例えば、図１２に示すような場合にも、本手法を適用することで、部品実装ラインのスループットの向上を実現させることが考えられる。
【００５５】
図１２は、部品実装ライン１００を構成する部品実装装置のうち、印刷装置以外の装置へ本手法を適用する場合の例を示した図である。ここで、部品実装装置とは、部品実装ライン１００を構成する装置の総称であり、具体的には、印刷装置１１０、接着剤塗布装置１１１、部品装着装置１１２、リフロー装置１１３、検査装置１１４等の装置が該当する。
【００５６】
図の上部には、部品実装ライン１００及びそれを構成する部品実装装置が示されている。図１に示したものと同様であるので説明は省略する。図の下部には、図の上部に示された部品実装装置のうち印刷装置１１０以外の装置に対応する実装条件が表示されている。ここで、実装条件とは、部品実装装置のタクトと品質とに影響を与える複数の条件の総称であり、前述の印刷条件に加えて、以下で説明する接着条件、装着条件、リフロー条件及び検査条件も含まれる。
【００５７】
接着条件１５１は、接着剤塗布装置１１１のタクトと品質とに影響を与える複数の条件であり、具体的には、塗布量、塗布温度、捨て打ち回数及び塗布高さ等が該当する。
【００５８】
装着条件１５２は、部品装着装置１１２のタクトと品質とに影響を与える複数の条件であり、具体的には、実装速度、吸着速度、認識速度及びフィーダ送り速度等が該当する。
【００５９】
リフロー条件１５３は、リフロー装置１１３のタクトと品質とに影響を与える複数の条件であり、具体的には、基板搬送速度、温度プロファイル及び酸素濃度等が該当する。
【００６０】
検査条件１５４は、検査装置１１４のタクトと品質とに影響を与える複数の条件であり、具体的には、ヘッド加速度、ヘッド最高速、視野解像度、制定時間及び認識部品数等が該当する。
【００６１】
これらの印刷装置以外の部品実装装置も印刷装置と同様に、図３で示したような制御部１３１を備える。この場合、制御部１３１は「印刷条件変更部」に替えて「実装条件変更部」を備え、テーブル記憶部１３４は「印刷条件テーブル」に替えて「実装条件テーブル」を保持する。「実装条件テーブル」には、図４に示される印刷条件に代わって、それぞれの装置に対応した接着条件１５１、装着条件１５２、リフロー条件１５３又は検査条件１５４が保持され、それぞれの条件に対応した値が設定される。
【００６２】
また、「実装条件変更部」は、図１０で示したフローチャートと同様の処理を実行することで、部品実装実行前に部品実装装置の実装条件を変更し、部品実装ライン１００のボトルネックを解消することが可能となる。
【００６３】
つまり、「実装条件変更部」は、部品実装ライン１００を構成する部品実装装置の中で自装置のタクトが最大となっている場合に、「実装条件テーブル」と現在の設定値を参照することで、現在の設定値の中で最も品質優先度が高く、品質境界値よりも高い品質の実装条件を、変更により品質を低下させる度合いが低い実装条件として取得する。そして、「実装条件変更部」は取得した実装条件から１つの実装条件を選択したうえで、当該実装条件の現在値を、品質優先度を一つ下げた値に変更し、変更後のタクトを計算する。このような処理を当該装置が部品実装ライン１００において最大のタクトとならないようになるまで、又は全ての実装条件が品質境界値となるまで繰り返して実装条件を変更する。
【００６４】
このように、印刷装置以外の部品実装装置が部品実装ライン１００でボトルネックとなっている場合にも、最も品質優先度が高い品質境界値よりも高い品質の実装条件をタクトが小さくなるように変更することで、品質の低下をできる限り抑制し、一定以上の品質を確保したうえでラインタクトを小さくすること、すなわち、ライン全体のスループットを向上させることが可能となる。
【００６５】
以上、本発明に係る印刷装置について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６６】
本発明は、部品をプリント配線基板等の基板に実装する部品実装ラインを構成する印刷装置として、特に、印刷装置のタクトがライン全体のボトルネックとなっているときに、それを解消することができる印刷装置として利用することができる。
【図面の簡単な説明】
【００６７】
【図１】部品実装ラインの構成を示す図である。
【図２】印刷装置の平面図である。
【図３】印刷装置の構成を示す機能ブロック図である。
【図４】印刷装置が保持する印刷条件テーブルの構成を示す図である。
【図５】印刷装置による印刷の処理手順を示すフローチャートである。
【図６】（ａ）スキージ速度が低速の場合に、タクト及び品質に及ぼす影響を示した図である。（ｂ）スキージ速度が高速の場合に、タクト及び品質に及ぼす影響を示した図である。
【図７】（ａ）スキージ多段制御の段数が多い場合に、タクト及び品質に及ぼす影響を示した図である。（ｂ）スキージ多段制御の段数が少ない場合に、タクト及び品質に及ぼす影響を示した図である。
【図８】（ａ）マスク離れ速度が低速の場合に、タクト及び品質に及ぼす影響を示した図である。（ｂ）マスク離れ速度が高速の場合に、タクト及び品質に及ぼす影響を示した図である。
【図９】（ａ）クリーニング速度が低速の場合に、タクト及び品質に及ぼす影響を示した図である。（ｂ）クリーニング速度が高速の場合に、タクト及び品質に及ぼす影響を示した図である。
【図１０】印刷装置の印刷条件を変更するときの処理手順を示したフローチャートである。
【図１１】図１０のフローチャートに示される処理を説明する図である。
【図１２】部品実装ラインを構成する印刷装置以外の装置への本手法の適用例を示した図である。
【図１３】従来のタクト調整方法を説明する図である。
【符号の説明】
【００６８】
１００  部品実装ライン
１１０  印刷装置
１１１  接着剤塗布装置
１１２  部品装着装置
１１３  リフロー装置
１１４  検査装置
１２０  基板
１２１  クリーム半田
１２２  マスク
１２３  スキージ
１２４  クリーニングロール
１３０  機構部
１３１  制御部
１３２  入力部
１３３  出力部
１３４  テーブル記憶部
１３５  現在値記憶部
１３６  印刷条件変更部
１４０  印刷条件テーブル
１４１  スキージ速度
１４２  スキージ多段制御
１４３  クリーニング速度
１４４  マスク離れ速度
１５１  接着条件
１５２  装着条件
１５３  リフロー条件
１５４  検査条件
２００  部品実装ライン
２１０  印刷装置
２１１  部品装着装置
【図１】
0004907492.tif 000002
【図２】
0004907492.tif 000003
【図３】
0004907492.tif 000004
【図４】
0004907492.tif 000005
【図５】
0004907492.tif 000006
【図６】
0004907492.tif 000007
【図７】
0004907492.tif 000008
【図８】
0004907492.tif 000009
【図９】
0004907492.tif 000010
【図１０】
0004907492.tif 000011
【図１１】
0004907492.tif 000012
【図１２】
0004907492.tif 000013
【図１３】
0004907492.tif 000014